(57)【特許請求の範囲】
【請求項１】
エンジン(21)からの駆動力を油圧変速機構(25)及び副変速機構(32)を介し走行部(2)に伝達して機体を変速自在に走行させ、主変速レバー(68)の前後進操作で油圧変速機構(25)の前後進の切換えを行うようにしていると共に、操向ハンドル(19)で操向用コントロールアーム(73)を動作させて油圧操向機構(28)を動作させており、当該油圧操向機構(28)の回転をギヤ差動機構(33)を介して左右走行部(2)の駆動輪(34)に伝達して、左右走行部(2)の回転を異ならせて機体の旋回を行うようにしたコンバインの操作装置において、
前記主変速レバー(68)を前後進操作の中立以外の状態に操作した状態で前記操向ハンドル(19)を操作すると、前記油圧操向機構(28)の回転が前記ギヤ差動機構(33)に伝達されるようになっていると共に、前記主変速レバー(68)を中立状態に操作した状態で前記操向ハンドル(19)を操作すると、前記油圧操向機構(28)の回転が前記ギヤ差動機構(33)に伝達されないようになっており、
前記操向ハンドル(19)の操向操作力を不等速ギヤ(114,116)を介して油圧操向機構(28)に伝達するようになっており、
前記不等速ギヤ(114,116)は、前記操向ハンドル(19)の中立位置からの操作における操作初期の立上り出力を大とさせるように設けられていることを特徴とするコンバインの操作装置。
【請求項２】
エンジン(21)からの駆動力を油圧変速機構(25)及び副変速機構(32)を介し走行部(2)に伝達して機体を変速自在に走行させており、主変速レバー(68)の前後進操作で走行用コントロールアーム(72)を動作させて油圧変速機構(25)の第１油圧モータ(24)を動作させるようにしていると共に、操向ハンドル(19)で操向用コントロールアーム(73)を動作させて油圧操向機構(28)の第２油圧モータ(27)を動作させており、当該第２油圧モータ(27)の回転をギヤ差動機構(33)を介して左右走行部(2)の駆動輪(34)に伝達して、左右走行部(2)の回転を異ならせて機体の旋回を行うようにしたコンバインの操作装置において、
前記主変速レバー(68)の出力軸(86)と前記走行用コントロールアーム(72)に連結された変速アーム(84)との間を連結する一方の自在継手軸(88)を備えると共に、前記操向ハンドル(19)の出力軸(87)と前記操向用コントロールアーム(73)に連結された操向アーム(85)との間を連結する他方の自在継手軸(89)を備え、
前記変速アーム(84)と前記操向アーム(85)を、揺動軸(82)及び当該揺動軸(82)の外側の揺動筒軸(83)を介して軸支すると共に、前記一方の自在継手軸(88)の前記変速アーム(84)側の継手部と、前記他方の自在継手軸(89)の操向アーム(85)側の継手部とを可及的に接近させた状態に位置させ、
前記主変速レバー(68)を中立以外の状態に前後進操作することで前記一方の自在継手軸(88)を押し引きして前記変速アーム(84)を動作させた状態で前記操向ハンドル(19)を操作すると、前記他方の自在継手軸(89)の押し引きの動きによって前記操向アーム(85)が回転し、これにより前記操向用コントロールアーム(73)が動作して前記油圧操向機構(28)が作動し、当該油圧操向機構(28)の第２油圧モータ(27)の回転が前記ギヤ差動機構(33)に伝達されるようになっていると共に、前記主変速レバー(68)を中立状態に操作することで前記一方の自在継手軸(88)を押し引きして前記変速アーム(84)を動作させた状態で前記操向ハンドル(19)を操作すると、前記他方の自在継手軸(89)の押し引きの動きによっては前記操向アーム(85)が回転せず、前記操向用コントロールアーム(73)が動作しないので、前記第２油圧モータ(27)は回転せず、回転が前記ギヤ差動機構(33)に伝達されないようになっており、
前記操向ハンドル(19)の操向操作力を不等速ギヤ(114,116)を介して油圧操向機構(28)に伝達されるようになっており、
前記不等速ギヤ(114,116)は、前記操向ハンドル(19)の中立位置からの操作における操作初期の立上り出力を大とさせるように設けられていることを特徴とするコンバインの操作装置。
【発明の詳細な説明】
【０００１】
【発明の属する技術分野】
本発明は変速レバーで油圧変速機構を変速操作して走行速度の変速を、また操向ハンドルで油圧操向機構を操向操作して機体の旋回をそれぞれ行うようにしたコンバインの操作装置に関する。
【０００２】
【発明が解決しようとする課題】
例えば丸形の操向ハンドルの回転操向出力は、通常等速のステアリングギヤを介し操向部に伝達されて、操向ハンドルの操作量に比例した機体の旋回が行われている。このような従来構造にあって、旋回の初期動作を速くあるいは遅くしようとする場合には、その都度操向ハンドルの操作量であるハンドル角度を大或いは小に操作してこれに対応させる作業の煩わしさがある。
【０００３】
【課題を解決するための手段】
したがって本発明は、エンジン(21)からの駆動力を油圧変速機構(25)及び副変速機構(32)を介し走行部(2)に伝達して機体を変速自在に走行させ、主変速レバー(68)の前後進操作で油圧変速機構(25)の前後進の切換えを行うようにしていると共に、操向ハンドル(19)で操向用コントロールアーム(73)を動作させて油圧操向機構(28)を動作させており、当該油圧操向機構(28)の回転をギヤ差動機構(33)を介して左右走行部(2)の駆動輪(34)に伝達して、左右走行部(2)の回転を異ならせて機体の旋回を行うようにしたコンバインの操作装置において、前記主変速レバー(68)を前後進操作の中立以外の状態に操作した状態で前記操向ハンドル(19)を操作すると、前記油圧操向機構(28)の回転が前記ギヤ差動機構(33)に伝達されるようになっていると共に、前記主変速レバー(68)を中立状態に操作した状態で前記操向ハンドル(19)を操作すると、前記油圧操向機構(28)の回転が前記ギヤ差動機構(33)に伝達されないようになっており、前記操向ハンドル(19)の操向操作力を不等速ギヤ(114,116)を介して油圧操向機構(28)に伝達するようになっており、前記不等速ギヤ(114,116)は、前記操向ハンドル(19)の中立位置からの操作における操作初期の立上り出力を大とさせるように設けられているものである。
【０００４】
また、エンジン(21)からの駆動力を油圧変速機構(25)及び副変速機構(32)を介し走行部(2)に伝達して機体を変速自在に走行させており、主変速レバー(68)の前後進操作で走行用コントロールアーム(72)を動作させて油圧変速機構(25)の第１油圧モータ(24)を動作させるようにしていると共に、操向ハンドル(19)で操向用コントロールアーム(73)を動作させて油圧操向機構(28)の第２油圧モータ(27)を動作させており、当該第２油圧モータ(27)の回転をギヤ差動機構(33)を介して左右走行部(2)の駆動輪(34)に伝達して、左右走行部(2)の回転を異ならせて機体の旋回を行うようにしたコンバインの操作装置において、
前記主変速レバー(68)の出力軸(86)と前記走行用コントロールアーム(72)に連結された変速アーム(84)との間を連結する一方の自在継手軸(88)を備えると共に、前記操向ハンドル(19)の出力軸(87)と前記操向用コントロールアーム(73)に連結された操向アーム(85)との間を連結する他方の自在継手軸(89)を備え、前記変速アーム(84)と前記操向アーム(85)を、揺動軸(82)及び当該揺動軸(82)の外側の揺動筒軸(83)を介して軸支すると共に、前記一方の自在継手軸(88)の前記変速アーム(84)側の継手部と、前記他方の自在継手軸(89)の操向アーム(85)側の継手部とを可及的に接近させた状態に位置させ、前記主変速レバー(68)を中立以外の状態に前後進操作することで前記一方の自在継手軸(88)を押し引きして前記変速アーム(84)を動作させた状態で前記操向ハンドル(19)を操作すると、前記他方の自在継手軸(89)の押し引きの動きによって前記操向アーム(85)が回転し、これにより前記操向用コントロールアーム(73)が動作して前記油圧操向機構(28)が作動し、当該油圧操向機構(28)の第２油圧モータ(27)の回転が前記ギヤ差動機構(33)に伝達されるようになっていると共に、前記主変速レバー(68)を中立状態に操作することで前記一方の自在継手軸(88)を押し引きして前記変速アーム(84)を動作させた状態で前記操向ハンドル(19)を操作すると、前記他方の自在継手軸(89)の押し引きの動きによっては前記操向アーム(85)が回転せず、前記操向用コントロールアーム(73)が動作しないので、前記第２油圧モータ(27)は回転せず、回転が前記ギヤ差動機構(33)に伝達されないようになっており、前記操向ハンドル(19)の操向操作力を不等速ギヤ(114,116)を介して油圧操向機構(28)に伝達されるようになっており、前記不等速ギヤ(114,116)は、前記操向ハンドル(19)の中立位置からの操作における操作初期の立上り出力を大とさせるように設けられているものである。
【０００５】
【発明の実施の形態】
以下、本発明の実施例を図面に基づいて詳述する。図１は操向ハンドル部の平面説明図、図２はコンバインの全体側面図、図３は同平面図であり、図中（１）は走行クローラ（２）を装設するトラックフレーム、（３）は前記トラックフレーム（１）に架設する機台、（４）はフィードチェン（５）を左側に張架し扱胴（６）及び処理胴（７）を内蔵している脱穀機である脱穀部、（８）は刈刃（９）及び穀稈搬送機構（１０）などを備える刈取部、（１１）は刈取フレーム（１２）を介して刈取部（８）を昇降させる油圧シリンダ、（１３）は排藁チェン（１４）終端を臨ませる排藁処理部、（１５）は脱穀部（４）からの穀粒を揚穀筒（１６）を介して搬入する穀物タンク、（１７）は前記タンク（１５）の穀粒を機外に搬出する排出オーガ、（１８）は丸形操向ハンドル（１９）及び運転席（２０）などを備える運転キャビン、（２１）は運転キャビン（１８）下方に設けるエンジンであり、連続的に穀稈を刈取って脱穀するように構成している。
【０００６】
図４に示す如く、前記走行クローラ（２）を駆動するミッションケース（２２）は、１対の第１油圧ポンプ（２３）及び第１油圧モータ（２４）からなる主変速機構である走行用の油圧式無段変速機構（２５）と、１対の第２油圧ポンプ（２６）及び第２油圧モータ（２７）からなる操向機構である旋回用の油圧式無段変速機構（２８）とを備え、前記エンジン（２１）の出力軸（２１ａ）に第１及び第２油圧ポンプ（２３）（２６）の入力軸（２９）を伝達ベルト（３０）を介し連動連結させて、これら油圧ポンプ（２３）（２６）の駆動を行うように構成している。
【０００７】
そして前記第１油圧モータ（２４）の出力軸（３１）に、副変速機構（３２）及び差動機構（３３）を介し走行クローラ（２）の駆動輪（３４）を連動連結させるもので、前記差動機構（３３）は左右対称の１対の遊星ギヤ機構（３５）（３５）を有し、各遊星ギヤ機構（３５）は１つのサンギヤ（３６）と、該サンギヤ（３６）の外周で噛合う３つのプラネタリギヤ（３７）と、これらプラネタリギヤ（３７）に噛合うリングギヤ（３８）などで形成している。
【０００８】
前記プラネタリギヤ（３７）はサンギヤ軸（３９）と同軸線上とのキャリヤ軸（４０）のキャリヤ（４１）にそれぞれ回転自在に軸支させ、左右のサンギヤ（３６）（３６）を挾んで左右のキャリヤ（４１）を対向配置させると共に、前記リングギヤ（３８）は各プラネタリギヤ（３７）に噛み合う内歯（３８ａ）を有してサンギヤ軸（３９）とは同一軸芯上に配置させ、キャリヤ軸（４０）に回転自在に軸支させている。
【０００９】
また、走行用の油圧式無段変速機構（２５）は第１油圧ポンプ（２３）の回転斜板の角度変更調節により第１油圧モータ（２４）の正逆回転と回転数の制御を行うもので、第１油圧モータ（２４）の回転出力を出力軸（３１）の伝達ギヤ（４２）より各ギヤ（４３）（４４）（４５）及び副変速機構（３２）を介して、サンギヤ軸（３９）に固定したセンタギヤ（４６）に伝達してサンギヤ（３６）を回転するように構成している。前記副変速機構（３２）は、前記ギヤ（４５）を有する副変速軸（４７）と、前記センタギヤ（４６）に噛合うギヤ（４８）を有する駐車ブレーキ軸（４９）とを備え、副変速軸（４７）とブレーキ軸（４９）間に各１対の低速用ギヤ（５０）（４８）・中速用ギヤ（５１）（５２）・高速用ギヤ（５３）（５４）を設けて、中央位置のギヤ（５１）のスライド操作によってこれら低速・中速・高速の切換えを可能とさせるように構成している（なお低速・中速間及び中速・高速間には中立を有するものである）。また前記ブレーキ軸（４９）には車速検出ギヤ（５５）を設けると共に、該ギヤ（５５）の回転数より車速を検出する車速センサ（５６）を設けている。なお、刈取部（８）に回転力を伝達する刈取ＰＴＯ軸（５７）のＰＴＯ入力ギヤ（５８）に、前記出力軸（３１）の伝達ギヤ（４２）を噛合連結させている。
【００１０】
そして、前記センタギヤ（４６）を介しサンギヤ軸（３９）に伝達された第１油圧モータ（２４）からの駆動力を、左右の遊星ギヤ機構（３５）を介しキャリヤ軸（４０）に伝達させると共に、該キャリヤ軸（４０）に伝達された回転を左右各一対の減速ギヤ（６０）（６１）を介し左右の駆動輪（３４）の左右輪軸（３４ａ）にそれぞれ伝えるように構成している。
【００１１】
さらに、旋回用の油圧式無段変速機構（２８）は第２油圧ポンプ（２６）の回転斜板の角度変更調節により第２油圧モータ（２７）の正逆回転と回転数の制御を行うもので、第２油圧モータ（２７）の出力軸（６２）の出力ギヤからギヤ伝達機構（６３）を介し旋回入力軸（６４）の入力ギヤ（６５ａ）（６５ｂ）に回転出力を伝達し、右側のリングギヤ（３８）の外歯（３８ｂ）を対しては直接的に、また左側のリングギヤ（３８）の外歯（３８ｂ）に対しては逆転軸（６６）の逆転ギヤ（６７）を介し伝えて、第２油圧モータ（２７）の正転時に左右のリングギヤ（３８）を左右同一回転数で左ギヤ（３８）を正転、右ギヤ（３８）を逆転とさせるように構成している。
【００１２】
而して旋回用の第２油圧モータ（２７）の駆動を停止させ左右リングギヤ（３８）を静止固定させた状態で、走行用の第１油圧モータ（２４）の駆動を行うと、第１油圧モータ（２４）からの回転出力はセンタギヤ（４６）から左右のサンギヤ（３６）に同一回転数で伝達され、左右遊星ギヤ機構（３５）のプラネタリギヤ（３７）・キャリヤ（４１）及び減速ギヤ（６０）（６１）を介し左右の輪軸（３４ａ）に左右同回転方向の同一回転数で伝達されて、機体の前後直進走行が行われる。一方、走行用の第１油圧モータ（２４）の駆動を停止させ左右のサンギヤ（３６）を静止固定させた状態で、旋回用の第２油圧モータ（２７）を正逆回転駆動すると、左側の遊星ギヤ機構（３５）が正或いは逆回転、また右側の遊星ギヤ機構（３５）が逆或いは正回転して、左右走行クローラ（２）の駆動方向を前後逆方向とさせて機体を左或いは右にその場でスピンターンさせるものである。
【００１３】
また走行用の第１油圧モータ（２４）を駆動させながら、旋回用の第２油圧モータ（２７）を駆動して機体を左右に旋回させる場合には旋回半径の大きい旋回を可能にできるもので、その旋回半径は左右走行クローラ（２）の速度に応じ決定される。
【００１４】
図５乃至図１３に示す如く、前記走行用の油圧式無段変速機構（２５）に連結する主変速レバー（６８）と、旋回用の油圧式無段変速機構（２８）に連結する操向ハンドル（１９）とを、変速及び旋回連動機構（６９）に連動連結させると共に、該連動機構（６９）を走行変速及び操向リンク系であるリンク機構（７０）（７１）介し走行及び操向用の無段変速機構（２５）（２８）のコントロールレバーであるアーム（７２）（７３）に連動連結させている。
【００１５】
前記連動機構（６９）は、主変速レバー（６８）の基端折曲部（６８ａ）を筒軸（７４）に左右揺動自在に支持する回動板（７５）と、機体側の本機フレーム（７６）に固設して前記回動板（７５）を左右方向の第１枢軸（７７）を介し前後回動自在に支持する固定取付板（７８）と、前記枢軸（７７）とは直交する前後方向の第２枢軸（７９）を介して回動板（７５）に連結させて該軸（７９）回りに回動自在に設ける変速操作部材（８０）と、前記第２枢軸（７９）の軸回りに回動自在に連結させる操向操作部材（８１）とを備え、変速及び操向操作部材（８０）（８１）の第２枢軸（７９）とは偏心位置の各操作出力部（８０ａ）（８１ａ）を変速及び操向リンク機構（７０）（７１）に連動連結させている。
【００１６】
前記変速及び操向リンク機構（７０）（７１）は、連動機構（６９）後方位置で本機フレーム（７６）側に揺動軸（８２）外側の揺動筒軸（８３）を介し支持する変速アーム（８４）と、前記揺動軸（８２）に基端を固設する旋回出力逆転手段である操向アーム（８５）と、前記出力部（８０ａ）（８１ａ）の各操作出力軸（８６）（８７）と各アーム（８４）（８５）間を連結する自在継手軸（８８）（８９）と、前記揺動軸（８２）の右端に固設する操向出力アーム（９１）と、前記運転キャビン（１８）の回動支点軸（９２）の支点軸受（９３）に取付ける中間軸（９４）に回転自在に設ける変速及び操向用第１揺動アーム（９５）（９６）と、前記アーム（８４）（９１）と第１揺動アーム（９５）（９６）の各先端間をそれぞれ連結する変速及び操向用自在継手形第１ロッド（９７）（９８）と、前記中間軸（９４）に設けて第１揺動アーム（９５）（９６）に一体連結する変速及び操向用第２揺動アーム（９９）（１００）と、前記ミッションケース（２２）上部の軸受板（１０１）に取付ける支軸（１０２）に回動自在に支持させる変速及び操向用筒軸（１０３）（１０４）と、該筒軸（１０３）（１０４）に基端を固設する第１揺動アーム（１０５）（１０６）と前記第２揺動アーム（９９）（１００）の各先端間を連結する変速及び操向用自在継手形第２ロッド（１０７）（１０８）と、前記筒軸（１０３）（１０４）に基端を固設する第２揺動アーム（１０９）（１１０）と前記コントロールアーム（７２）（７３）の各先端間を連結させる変速及び操向用自在継手形第３ロッド（１１１）（１１２）とを備え、前記第１枢軸（７７）を中心とした変速操作部材（８０）の回動によって走行用のコントロールアーム（７２）を、また走行中の第２枢軸（７９）を中心とした操向操作部材（８１）の回動によって操向用のコントロールアーム（７３）を操作して変速及び操向制御を行うように構成している。
【００１７】
一方前記操向ハンドル（１９）下端のハンドル操作軸（１１３）にギヤ（１１４）を設けて、この後方の回転軸（１１５）に取付けるセクタギヤ（１１６）に前記ギヤ（１１４）を噛合せると共に、前記主変速レバー（６８）位置下方に配設する操向軸（１１７）の第１揺動アーム（１１８）と、前記回転軸（１１５）に基端を固設する出力アーム（１１９）との各先端間を操向リンク機構である自在継手形操向第１ロッド（１２０）を介して連結させ、操向軸（１１７）の第１揺動アーム（１１８）と一体の第２揺動アーム（１２１）を、前記自在継手軸（８９）の前端に自在継手形操向第２ロッド（１２２）を介して連結させ、前記ハンドル（１９）の回動操作によって前記第２枢軸（７９）を中心として操向操作部材（８１）を回動するように構成している。
【００１８】
また、前記ハンドル操作軸（１１３）のギヤ（１１４）下方に中立位置決め板（１２３）を設けていて、該位置決め板（１２３）下面の突出軸（１２４）に操向検出リンク（１２５）の一端を連結させ、前記回転軸（１１５）の右側に配設する減速アーム軸（１２６）の第１揺動アーム（１２７）と前記検出リンク（１２５）の他端長孔（１２５ａ）とを軸（１２８）を介し連結させると共に、前記操向軸（１１７）の減速アーム（１２９）と減速アーム軸（１２６）の第２揺動アーム（１３０）との各先端間を減速リンク機構である自在継手形第１減速ロッド（１３１）で連結させ、前記変速操作部材（８０）の最右端の減速伝達軸（１３２）と第２揺動アーム（１３０）の他端間を自在継手形第２減速ロッド（１３３）で連結させて、走行状態で前記ハンドル（１９）の操向量を大とする程第２減速ロッド（１３３）を下方に引張って走行速度を減速させるように構成している。
【００１９】
而して、前記変速及び操向操作部材（８０）（８１）を軸回りに回動可能とさせる第２枢軸（７９）と、操向アーム（８５）と継手軸（８９）との自在継手部（８９ａ）とを前後方向の水平ライン（Ｌ１）上に位置させ、また前記操作出力軸（８６）（８７）と自在継手軸（８８）（８９）との自在継手部（８８ｂ）（８９ｂ）と、第１枢軸（７７）とを前記ライン（Ｌ１）に直交させる左右水平ライン（Ｌ２）上に位置させ、さらに前記変速アーム（８４）と継手軸（８８）との自在継手部（８８ａ）と前記継手部（８９ａ）とを前記ライン（Ｌ２）と平行な左右水平ライン（Ｌ３）上に位置させ、且つ継手部（８９ａ）に継手部（８８ａ）を可及的に接近（最大限近い位置）させて、主変速レバー（６８）及び操向ハンドル（１９）の中立保持時に、これら何れか一方が操作されても、各操作部材（８０）（８１）を第１及び第２枢軸（７７）（７９）の軸回りに回動させるのみとさせて、継手軸（８８）（８９）には操作力を作用させないものである。
【００２０】
そして図１０にも示す如く、主変速レバー（６８）の前後進操作で、第１枢軸（７７）を中心として操作部材（８０）を前後に角度（α１）（α２）傾けるとき前記継手軸（８８）を引張って或いは押して変速アーム（８４）を動作させて走行速度の前後進の切換えを行うと共に、図１１に示す如くこの状態中（主変速レバー（６８）が中立以外のとき）に操向ハンドル（１９）の回動操作で第２枢軸（７９）を中心として操作部材（８１）を上下に角度（β１）（β２）傾けるとき継手軸（８９）を引張って或いは押して操向アーム（８５）を動作させて機体の左及び右旋回を行うものである。即ち主変速の中立時に旋回操作を行っても継手軸（８９）はライン（Ｌ１）を中心とした円錐面上で移動する状態となって継手部（８９ａ）（８９ｂ）間の距離は変化せず、したがって操向アーム（８５）は動作しない。そして主変速の中立以外で旋回操作が行われるとき操向アーム（８５）は動作するもので、前後進に切換わるとき操向アーム（８５）は前後逆方向に動作して、第２油圧モータ（２７）の回転を前進時と後進時では逆方向とさせるように構成したものである。
【００２１】
つまり、走行用の第１油圧モータ（２４）の正回転時を前進時とすると、逆回転時の後進時には旋回用の第２油圧モータ（２７）による遊星ギヤ機構（３５）の作用は前進時と後進時では逆となるもので、前進時と後進時のハンドル（１９）操作による機体の旋回方向を一致させるため、第１油圧モータ（２４）の逆回転（後進）時には第２油圧ポンプ（２６）の斜板角度を逆方向に切換えて（第１及び第２油圧ポンプ（２３）（２６）の入力軸の回転方向は一定）、第２油圧モータ（２７）の回転を前進時と後進時では逆方向とさせるものである。
【００２２】
つまりこの場合、前進操作時の操作部材（８０）が中立より前方の角度（α１）側に傾いて、ハンドル（１９）の右回動操作によって第２ロッド（１２２）を引張り操作部材（８１）を下方向の角度（β２）側に傾けるとき、操作部材（８１）の出力部（８１ａ）を操向アーム（８５）側に近づけて、揺動軸（８２）を中心として操向アーム（８５）を操作部材（８１）より遠ざける方向（図６中反時計方向）に回転させ、前記第１及び第２ロッド（９８）（１０８）などを介しコントロールアーム（７３）を下方向に回転させて、旋回用の第２油圧モータ（２７）を正回転させる。即ち、機体を前進で右旋回（走行クローラ（２）の速度を左側が大、右側が小）させる。
【００２３】
また、上述の前進操作時で、ハンドル（１９）の左回動操作によって第２ロッド（１２２）を押し上げ操作部材（８１）を上方向の角度（β１）側に傾けるとき、操作部材（８１）の出力部（８１ａ）を操作アーム（８５）側より遠ざけて、揺動軸（８２）を中心として操向アーム（８５）を操作部材（８１）側に近づける方向（図６中時計方向）に回転させ、前記コントロールアーム（７３）を上方向に回転させて、前記第２油圧モータ（２７）を逆回転させる。即ち、機体を前進で左旋回（走行クローラ（２）の速度を右側が大、左側が小）させる。
【００２４】
さらに、後進操作時の操作部材（８０）が中立より後方の角度（α２）側に傾いて、ハンドル（１９）の右回動操作によって第２ロッド（１２２）を引張り操作部材（８１）を下方向の角度（β２）側に傾けるとき、操作部材（８１）の出力部（８１ａ）を操向アーム（８５）側より遠ざけて、揺動軸（８２）を中心として操向アーム（８５）を操作部材（８１）側に近づける方向（図６中時計方向）に回転させ、前記コントロールアーム（７３）を上方向に回転させて、前記第２油圧モータ（２７）を逆回転させる。即ち、機体を後進で右旋回（走行クローラ（２）の速度を左側が大、右側が小）させる。
【００２５】
またさらに、上述とは逆に後進操作時で、ハンドル（１９）の左回動操作によって、操作部材（８１）を上方向の角度（β１）側に傾けるとき、操作部材（８１）の出力部（８１ａ）を操作部材（８１）側に近づけて、揺動軸（８２）を中心として操向アーム（８５）を操作部材（８１）より遠ざける方向（図６中反時計方向）に回転させ、前記コントロールアーム（７３）を下方向に回転させて、前記第２油圧モータ（２７）を正回転させる。即ち、機体を後進で左旋回（走行クローラ（２）の速度を右側が大、左側が小）とさせる。
【００２６】
このように前進及び後進時における旋回操作にあっては、操向アーム（８５）の動きを逆方向とさせて、前後進の何れにおいても操向ハンドル（１９）の回動操作方向と機体の旋回方向とを一致させるものである。
【００２７】
また図１にも示す如く、前記操向ハンドル（１９）に設ける検出リンク（１２５）は中立位置より右或いは左旋回操作の何れにおいても第１揺動アーム（１２７）を同一方向に角度（θ）の範囲で回動させて第２減速ロッド（１３３）を常に引張る状態とさせて、前進操作時の操作部材（８０）が角度（α１）側に傾いてるときには、継手部（８８ａ）（８８ｂ）間の距離を縮め、また後進操作時の操作部材（８０）が角度（α２）側に傾いているときには、継手部（８８ａ）（８８ｂ）間の距離を大きくして、変速アーム（８４）をそれぞれ中立方向の低速側に変位させて、その旋回量に応じた減速を行うものである。
【００２８】
さらに、変速及び操向の操作力を伝達する前記第１ロッド（９７）（９８）と揺動アーム（９５）（９６）の自在継手部（９７ａ）（９８ａ）の中心を、運転キャビン（１８）の回動支点軸（９２）位置に一致させて、変速及び操向の中立保持においてはこれらの操作系を取外すことなく運転キャビン（１８）の前方向への回動を可能とさせるように構成している。
【００２９】
図４及び図１４に示す如く、前記第１及び第２油圧ポンプ（２３）（２６）と第１及び第２油圧モータ（２４）（２７）とをそれぞれループ油圧回路（１３４）（１３５）を介し正逆自在に接続させ、前記第１及び第２油圧モータ（２４）（２７）の出力軸（３１）（６２）には、電磁弁（１３６）（１３７）の作動によって出力軸（３１）（６２）を静止保持する走行停止及び直進固定用の走行及び旋回用ブレーキ装置（１３８）（１３９）を設けると共に、前記駐車ブレーキ軸（４９）にはブレーキ軸（４９）を静止保持する駐車ブレーキ装置（１４０）を設けている。
【００３０】
ところで、図１５乃至図１８に示す如く、操向ハンドル（１９）の操向出力を変速機構（２８）に伝達する前記１対のギヤ（１１４）（１１６）は、非円形状の不等速ギヤに形成して、ハンドル（１９）の操向出力を不等速に伝達するもので、操作軸（１１３）のギヤ（１１４）の円周一部に軸（１１３）から歯部までの距離が他より長い長径部（１１４ａ）を突出形成すると共に、セクタギヤ（１１６）の円周中央部に軸（１１５）から歯部までの距離の短い短径部（１１６ａ）を陥設形成して、ハンドル（１９）の中立位置時に前記長径部（１１４ａ）と短径部（１１６ａ）とを結合状態とさせて、図１８のライン（Ａ）に示す如く、ハンドル（１９）の操作初期のハンドル角度が小のとき、従来の等速ギヤより操向出力を大にコントロールアーム（７３）に伝達させ、ハンドル（１９）の操作初期の立上りを大とさせて、ハンドル（１９）の初期操作に敏感に反応させた旋回を行うように構成している。
【００３１】
また図１９に示すものは、前述とは逆に前記ギヤ（１１４）の円周一部に軸（１１３）から歯部までの距離が他より短い短径部（１１４ｂ）を形成すると共に、セクタギヤ（１１６）の円周中央部に軸（１１５）から歯部までの距離の長い長径部（１１６ｂ）を形成して、ハンドル（１９）の中立位置時に前記短径部（１１４ｂ）と長径部（１１６ｂ）とを結合状態とさせて、図１８のライン（Ｂ）に示す如く、ハンドル（１９）の操作初期の立上りを小とさせ、ハンドル（１９）の初期操作に鈍感に反応させた旋回を行うように構成している。
【００３２】
このような結果、例えばハンドル角度が３０°のときに機体が実際の旋回を開始するような条件のものにおいては、操作初期の立上り出力を大とさせるものにおいてハンドル角度が略１８°となるとき、また小とさせるものにおいて略４０°となるとき、実際の旋回を開始させることができて、作業者の熱練度や性格などに最適に適応させた旋回作業を可能とさせることができるものである。
【００３３】
なお、図１８はハンドル（１９）の左或いは右旋回時のハンドル角度に対応させたものであり、アーム角度はコントロールアーム（７３）の揺動角を表わしたものである。
【００３４】
【発明の効果】
以上実施例から明らかなように請求項１に記載の本発明は、エンジン(21)からの駆動力を油圧変速機構(25)及び副変速機構(32)を介し走行部(2)に伝達して機体を変速自在に走行させ、主変速レバー(68)の前後進操作で油圧変速機構(25)の前後進の切換えを行うようにしていると共に、操向ハンドル(19)で操向用コントロールアーム(73)を動作させて油圧操向機構(28)を動作させており、当該油圧操向機構(28)の回転をギヤ差動機構(33)を介して左右走行部(2)の駆動輪(34)に伝達して、左右走行部(2)の回転を異ならせて機体の旋回を行うようにしたコンバインの操作装置において、前記主変速レバー(68)を前後進操作の中立以外の状態に操作した状態で前記操向ハンドル(19)を操作すると、前記油圧操向機構(28)の回転が前記ギヤ差動機構(33)に伝達されるようになっていると共に、前記主変速レバー(68)を中立状態に操作した状態で前記操向ハンドル(19)を操作すると、前記油圧操向機構(28)の回転が前記ギヤ差動機構(33)に伝達されないようになっており、前記操向ハンドル(19)の操向操作力を不等速ギヤ(114,116)を介して油圧操向機構(28)に伝達するようになっており、前記不等速ギヤ(114,116)は、前記操向ハンドル(19)の中立位置からの操作における操作初期の立上り出力を大とさせるように設けられているものであるから、ハンドル(19)の操作初期の一定操作量に対し、機体の旋回量を従来より大とさせた敏感な旋回を行って、旋回遅れなど起こすことのない迅速且つ良好な操向作業を可能とさせることができるものである。
【００３５】
そして、請求項２に記載の本発明は、エンジン(21)からの駆動力を油圧変速機構(25)及び副変速機構(32)を介し走行部(2)に伝達して機体を変速自在に走行させており、主変速レバー(68)の前後進操作で走行用コントロールアーム(72)を動作させて油圧変速機構(25)の第１油圧モータ(24)を動作させるようにしていると共に、操向ハンドル(19)で操向用コントロールアーム(73)を動作させて油圧操向機構(28)の第２油圧モータ(27)を動作させており、当該第２油圧モータ(27)の回転をギヤ差動機構(33)を介して左右走行部(2)の駆動輪(34)に伝達して、左右走行部(2)の回転を異ならせて機体の旋回を行うようにしたコンバインの操作装置において、前記主変速レバー(68)の出力軸(86)と前記走行用コントロールアーム(72)に連結された変速アーム(84)との間を連結する一方の自在継手軸(88)を備えると共に、前記操向ハンドル(19)の出力軸(87)と前記操向用コントロールアーム(73)に連結された操向アーム(85)との間を連結する他方の自在継手軸(89)を備え、前記変速アーム(84)と前記操向アーム(85)を、揺動軸(82)及び当該揺動軸(82)の外側の揺動筒軸(83)を介して軸支すると共に、前記一方の自在継手軸(88)の前記変速アーム(84)側の継手部と、前記他方の自在継手軸(89)の操向アーム(85)側の継手部とを可及的に接近させた状態に位置させ、前記主変速レバー(68)を中立以外の状態に前後進操作することで前記一方の自在継手軸(88)を押し引きして前記変速アーム(84)を動作させた状態で前記操向ハンドル(19)を操作すると、前記他方の自在継手軸(89)の押し引きの動きによって前記操向アーム(85)が回転し、これにより前記操向用コントロールアーム(73)が動作して前記油圧操向機構(28)が作動し、当該油圧操向機構(28)の第２油圧モータ(27)の回転が前記ギヤ差動機構(33)に伝達されるようになっていると共に、前記主変速レバー(68)を中立状態に操作することで前記一方の自在継手軸(88)を押し引きして前記変速アーム(84)を動作させた状態で前記操向ハンドル(19)を操作すると、前記他方の自在継手軸(89)の押し引きの動きによっては前記操向アーム(85)が回転せず、前記操向用コントロールアーム(73)が動作しないので、前記第２油圧モータ(27)は回転せず、回転が前記ギヤ差動機構(33)に伝達されないようになっており、前記操向ハンドル(19)の操向操作力を不等速ギヤ(114,116)を介して油圧操向機構(28)に伝達されるようになっており、前記不等速ギヤ(114,116)は、前記操向ハンドル(19)の中立位置からの操作における操作初期の立上り出力を大とさせるように設けられているものであるから、ハンドル(19)の操作初期の一定操作量に対し、機体の旋回量を従来より大とさせた敏感な旋回を行って、旋回遅れなど起こすことのない迅速且つ良好な操向作業を可能とさせることができるものである。
【図面の簡単な説明】
【図１】操向ハンドル部の平面説明図である。
【図２】コンバインの全体側面図である。
【図３】コンバインの全体平面図である。
【図４】ミッション駆動系の説明図である。
【図５】主変速レバー及び操向ハンドルの操作系の斜視説明図である。
【図６】走行変速及び操向操作部の側面説明図である。
【図７】操作部の正面説明図である。
【図８】操作部の平面説明図である。
【図９】操作部の側面説明図である。
【図１０】操作部材の側面説明図である。
【図１１】操作部材の正面説明図である。
【図１２】操作部材の平面説明図である。
【図１３】リンク機構部の平面説明図である。
【図１４】油圧回路図である。
【図１５】不等速ギヤの平面説明図である。
【図１６】不等速ギヤの中立結合状態を示す斜視説明図である。
【図１７】不等速ギヤの旋回結合状態を示す斜視説明図である。
【図１８】ハンドル角度とコントロールアーム角度の関係を表わす線図である。
【図１９】不等速ギヤの他の説明図である。
【符号の説明】
（１９） 操向ハンドル
（２１） エンジン
（２５） 変速機構
（２８） 変速機構（操向機構）
（３３） 差動機構
（１１４）（１１６） 不等速ギヤ
【図１】
0003898297.tif 000002
【図２】
0003898297.tif 000003
【図３】
0003898297.tif 000004
【図４】
0003898297.tif 000005
【図５】
0003898297.tif 000006
【図６】
0003898297.tif 000007
【図７】
0003898297.tif 000008
【図８】
0003898297.tif 000009
【図９】
0003898297.tif 000010
【図１０】
0003898297.tif 000011
【図１１】
0003898297.tif 000012
【図１２】
0003898297.tif 000013
【図１３】
0003898297.tif 000014
【図１４】
0003898297.tif 000015
【図１５】
0003898297.tif 000016
【図１６】
0003898297.tif 000017
【図１７】
0003898297.tif 000018
【図１８】
0003898297.tif 000019
【図１９】
0003898297.tif 000020